(57)【要約】【課題】地上アナログ・デジタル放送及び衛星デジタル放送を受信可能で、ある集積回路から放射されるノイズが他の回路に接続された部品に与える影響を軽減でき、しかも集積回路間での発熱の影響を小さくすること。【解決手段】多層基板５の基板表面及び裏面をシールド板６にて４つの区域Ｍ１〜Ｍ４に分割し、地上アナログ・デジタル放送受信用チューナＩＣ１、衛星デジタル放送受信用チューナＩＣ２、デジタル放送信号復調用ＩＣ３、アナログ放送信号復調用ＩＣ４を互いの放熱による影響を受けない配置で搭載する。さらに、デジタル放送信号復調用ＩＣ３から放射されるノイズ信号に最も影響を受ける空芯コイル１１ｃはデジタル放送信号復調用ＩＣ３が搭載された基板表面とは反対側の基板裏面側に搭載し、少なくとも空芯コイル１１ｃの周囲をシールド板６で囲んでシールドするようにした。【選択図】図１
2008278099.tif 000002
【特許請求の範囲】
【請求項１】
地上放送信号が入力される地上放送受信用入力端子と、
衛星放送信号が入力される衛星放送受信用入力端子と、
前記地上放送受信用入力端子から地上放送信号を取り込んで周波数変換及び番組選択する地上放送受信用チューナを構成する第１の集積回路と、
前記衛星放送受信用入力端子から衛星放送信号を取り込んで周波数変換及び番組選択する衛星放送受信用チューナを構成する第２の集積回路と、
前記第１及び第２の集積回路から出力される地上／衛星デジタル放送信号を復調するデジタル復調回路を構成する第３の集積回路と、
前記第１の集積回路から出力される地上アナログ放送信号を復調するアナログ復調回路を構成する第４の集積回路と、
基板表面及び基板裏面に所定のパターンが形成され、前記第１から第４の集積回路及びその他の回路部品がパターン上に搭載される回路基板と、を備え、
前記回路基板をそれぞれ１つの集積回路が搭載される４つの区域に分割し、前記地上放送受信用入力端子と接する区域を第１の区域、前記衛星放送受信用入力端子と接する区域を第２の区域、前記第２の区域に対して前記衛星放送受信用入力端子と反対側において接する区域を第３の区域、前記第１の区域に対して前記地上放送受信用入力端子と反対側において接する区域を第４の区域とし、
前記第１の区域の基板表面側に前記第１の集積回路を搭載し、
前記第２の区域の基板裏面側に前記第２の集積回路を搭載し、
前記第３の区域の基板表面側に前記第３の集積回路を搭載し、
前記第４の区域の基板裏面側に前記第４の集積回路を搭載したことを特徴とするテレビジョンチューナ装置。
【請求項２】
前記第１の区域の基板裏面側に、前記第１の集積回路の前段に配置されるＲＦ回路部品の一部である空芯コイルを搭載したことを特徴とする請求項１記載のテレビジョンチューナ装置。
【請求項３】
前記空芯コイルを搭載した前記第１の区域の基板裏面側を他の区域から高周波的にシールドするシールド板を設けたことを特徴とする請求項２記載のテレビジョンチューナ装置。
【請求項４】
前記回路基板は、複数の絶縁層を積層した多層基板で構成され、当該多層基板の内層に設けられた接地用導体層により基板表面側と基板裏面側とをシールドしたことを特徴とする請求項１から請求項３の何れかに記載のテレビジョンチューナ装置。
【発明の詳細な説明】
【技術分野】
【０００１】
本発明は、地上アナログ・デジタル放送及び衛星デジタル放送を受信可能なテレビジョンチューナ装置に関する。
【背景技術】
【０００２】
近年、地上波アナログ及びデジタル放送を受信可能であると共に衛星デジタル放送まで受信可能なテレビジョンチューナが登場してきている。一方、テレビジョンチューナの小型化等を目的として、アンテナで受波された高周波信号のテレビジョン信号を処理する高周波部と、高周波部から出力されるテレビジョン信号を復調処理する復調部とを、それぞれ集積回路で構成したテレビジョンチューナが開発されている。地上アナログ・デジタル放送及び衛星デジタル放送をそれぞれ受信可能なテレビジョンチューナの場合、地上放送受信用チューナＩＣ、衛星デジタル放送受信用チューナＩＣ、デジタル復調用ＩＣ、アナログ復調用ＩＣの合計４つの集積回路が搭載されることになる。
【０００３】
ところで、テレビジョンチューナにおいて、デジタル復調部から放射されるノイズ信号が他の部品、特に受信用部品（例えば空芯コイル）に対して悪影響を与えることがある。このため、特許文献１では、１系統のテレビジョンチューナにおいてチューナ回路及びデジタル回路が実装される多層基板の内層にシールド層を形成すると共にチューナ回路とデジタル回路とを基板の表面と裏面とに分けて配置することで、デジタル回路から放射されるノイズ信号の影響を低減させている。
【特許文献１】特開２００２−１３５６６９号公報
【発明の開示】
【発明が解決しようとする課題】
【０００４】
しかしながら、地上アナログ・デジタル放送及び衛星デジタル放送を受信可能なテレビジョンチューナの場合、上記した通り合計４つの集積回路が存在するので、特許文献１記載のように２つの集積回路（チューナ回路とデジタル回路）を基板の表面と裏面とに分けて配置するだけでは足りず、残りの２つの集積回路の配置が問題となる。デジタル回路の配置面とは反対側の基板面に３つの集積回路を実装したのでは大きな実装面積が必要となり小型化が困難になる。また、集積回路は発熱することから限られたスペースにおいて各集積回路の放熱をどのように逃がしたらよいか問題となる。
【０００５】
本発明は、かかる点に鑑みてなされたものであり、ある集積回路から放射されるノイズが他の回路に接続された部品に与える影響を軽減でき、しかも集積回路間での発熱の影響が小さく部品性能を維持可能なテレビジョンチューナ装置を提供することを目的とする。
【課題を解決するための手段】
【０００６】
本発明のテレビジョンチューナ装置は、地上放送信号が入力される地上放送受信用入力端子と、衛星放送信号が入力される衛星放送受信用入力端子と、前記地上放送受信用入力端子から地上放送信号を取り込んで周波数変換及び番組選択する地上放送受信用チューナを構成する第１の集積回路と、前記衛星放送受信用入力端子から衛星放送信号を取り込んで周波数変換及び番組選択する衛星放送受信用チューナを構成する第２の集積回路と、前記第１及び第２の集積回路から出力される地上／衛星デジタル放送信号を復調するデジタル復調回路を構成する第３の集積回路と、前記第１の集積回路から出力される地上アナログ放送信号を復調するアナログ復調回路を構成する第４の集積回路と、基板表面及び基板裏面に所定のパターンが形成され、前記第１から第４の集積回路及びその他の回路部品がパターン上に搭載される回路基板とを備え、前記回路基板をそれぞれ１つの集積回路が搭載される４つの区域に分割し、前記地上放送受信用入力端子と接する区域を第１の区域、前記衛星放送受信用入力端子と接する区域を第２の区域、前記第２の区域に対して前記衛星放送受信用入力端子と反対側において接する区域を第３の区域、前記第１の区域に対して前記地上放送受信用入力端子と反対側において接する区域を第４の区域とし、前記第１の区域の基板表面側に前記第１の集積回路を搭載し、前記第２の区域の基板裏面側に前記第２の集積回路を搭載し、前記第３の区域の基板表面側に前記第３の集積回路を搭載し、前記第４の区域の基板裏面側に前記第４の集積回路を搭載したことを特徴とする。
【０００７】
この構成によれば、回路基板を４つの区域に分割し、基板表面側には地上放送受信用入力端子と接する第１の区域に地上放送受信用チューナを構成する第１の集積回路を搭載し、第３の区域にデジタル復調回路を構成する第３の集積回路を搭載し、他の集積回路は基板裏面側の該当区域に搭載したので、４つの集積回路を互いの放熱の影響を受けることなく配置でき、しかも第１の区域の基板裏面にはスペースを確保できるので地上放送受信用チューナ前段に設置されるＲＦ部品のうちデジタル復調回路からノイズの影響を受け易い部品を第１の区域の基板裏面側に配置することがき、デジタル復調回路からのノイズの影響を低減することができる。
【０００８】
また本発明は、上記テレビジョンチューナ装置において、前記第１の区域の基板裏面側に、前記第１の集積回路の前段に配置されるＲＦ回路部品の一部である空芯コイルを搭載したことを特徴とする。
【０００９】
この構成により、ＲＦ回路部品のうちデジタル復調回路からノイズの影響を受け易い空芯コイルを第１の区域の基板裏面側に配置したので、デジタル復調回路からのノイズの影響を低減することができる。
【００１０】
また本発明は、上記テレビジョンチューナ装置において、前記空芯コイルを搭載した前記第１の区域の基板裏面側を他の区域から高周波的にシールドするシールド板を設けたことを特徴とする。
【００１１】
この構成により、ＲＦ回路の受信用部品である空芯コイルが他の区域から高周波的にシールドされるので、他の区域の基板裏面側に設置された集積回路または部品からの影響を低減することができる。
【００１２】
また本発明は、上記テレビジョンチューナ装置において、前記回路基板は、複数の絶縁層を積層した多層基板で構成され、当該多層基板の内層に設けられた接地用導体層により基板表面側と基板裏面側とをシールドしたことを特徴とする。
【００１３】
この構成により、多層基板の内層に設けた接地用導体層により基板表面側と基板裏面側とをシールドしたので、基板表面側に搭載されたデジタル復調回路から放射されるノイズ信号が基板裏面側に回り込むのを防止でき、基板裏面側に搭載した衛星放送受信用チューナを構成する第２の集積回路及びそのＲＦ回路部品への影響を低減できる。
【発明の効果】
【００１４】
本発明によれば、地上アナログ・デジタル放送及び衛星デジタル放送を受信可能で、ある集積回路から放射されるノイズが他の回路に接続された部品に与える影響を軽減でき、しかも集積回路間での発熱の影響が小さく部品性能を維持できるテレビジョンチューナを実現できる。
【発明を実施するための最良の形態】
【００１５】
以下、本発明の実施の形態について添付図面を参照して詳細に説明する。
図１は本発明の一実施の形態に係るテレビジョンチューナの模式的な平面図である。本実施の形態に係るテレビジョンチューナは、地上アナログ・デジタル放送及び衛星デジタル放送を受信可能なテレビジョンチューナであり、４つの集積回路を搭載している。本実施の形態では、第１の集積回路となる地上アナログ・デジタル放送受信用チューナＩＣ１と、第２の集積回路となる衛星デジタル放送受信用チューナＩＣ２と、第３の集積回路となるデジタル放送信号復調用ＩＣ３と、第４の集積回路となるアナログ放送信号復調用ＩＣ４との合計４つの集積回路が搭載される。
【００１６】
上記第１〜第４の集積回路１〜４は、多層基板５の表面及び裏面に互いの放熱による影響を受けない配置で実装されている。多層基板５は、全体が長方形をなしており、表面及び裏面が所定高さのシールド板６にて４つの区域Ｍ１〜Ｍ４に分割されている。
【００１７】
図１において左上となる第１の区域Ｍ１には、基板表面Ｍ１ａに地上アナログ・デジタル放送受信用チューナＩＣ１、ＲＦ回路部品１１及び当該区域専用となる接地用端子１２が設置されている。第１の区域Ｍ１の側方には地上放送受信用入力端子１３が設けられている。地上放送受信用入力端子１３は多層基板５に形成した線路又はパターンを介してＲＦ回路部品１１に導通している。
【００１８】
図１において左下となる第２の区域Ｍ２には、基板裏面Ｍ２ｂに衛星デジタル放送受信用チューナＩＣ２が配置されている。第２の区域Ｍ２の側方には衛星デジタル放送受信用入力端子１４が接続されている。衛星放送受信用入力端子１４は多層基板５に形成した線路又はパターン、及び図示していないＲＦ回路部品を介して衛星デジタル放送受信用チューナＩＣ２に導通している。第２の区域Ｍ２の基板表面Ｍ２ａには集積回路は配置していない。
【００１９】
図１において右下となる第３の区域Ｍ３には、基板表面Ｍ３ａにデジタル放送信号復調用ＩＣ３が配置されている。第３の区域Ｍ３は、第２の区域Ｍ２の右側（入力端子１４の反対側）に隣接していて第１の区域Ｍ１とは対角の位置関係にある。第３の区域Ｍ３の基板裏面Ｍ３ｂには集積回路は配置されていない。
【００２０】
図１において右上となる第４の区域Ｍ４には、基板裏面Ｍ４ｂにアナログ放送信号復調用ＩＣ４が配置されている。第４の区域Ｍ４は、第１の区域Ｍ１の右側（入力端子１３の反対側）に隣接していて第２の区域Ｍ２とは対角の位置関係にある。第４の区域Ｍ４の基板表面Ｍ４ａには集積回路は配置されていない。
【００２１】
図２は多層基板５の構造を示す模式図であり、図１において地上アナログ・デジタル放送受信用チューナＩＣ１及びアナログ放送信号復調用ＩＣ４を横切る線分にて切断した場合の概略的な断面図である。多層基板５は、表面側を形成する絶縁層５ａと、裏面側を形成する絶縁層５ｂと、絶縁層５ａ，５ｂ間に形成されシールド層として機能する接地用導体層５ｃとで構成されている。なお、本発明は２層構造の多層基板５に限定されるものではなく、３層以上の多層基板を用いることも可能である。
【００２２】
第１の区域Ｍ１の基板表面Ｍ１ａには、パターン２１が形成されている。当該パターン２１上に地上アナログ・デジタル放送受信用チューナＩＣ１及びＲＦ回路部品１１の一部１１ｂが取り付けられている。また、第１の区域Ｍ１の基板裏面Ｍ１ｂには、他のＩＣであるデジタル放送信号復調用ＩＣ３から放射されるノイズ信号に特に影響を受ける受信用部品が配置されている。本例ではＲＦ回路において同調回路のインダクタ成分を構成する空芯コイル１１ｃが配置されている。空芯コイル１１ｃは多層基板５に形成したスルーホール７に基板裏面Ｍ１ｂから差し込んでパターン２１に導通させている。
【００２３】
第４の区域Ｍ４の基板裏面Ｍ４ｂにはパターン２２が形成されており、当該パターン２２にアナログ放送信号復調用ＩＣ４の端子が接続されている。他の区域Ｍ２，Ｍ３の基板表面Ｍ２ａ、Ｍ３ａ及び基板裏面Ｍ２ｂ、Ｍ３ｂにも必要に応じてパターンが形成されており、衛星デジタル放送受信用チューナＩＣ２、デジタル放送信号復調用ＩＣ３の端子が接続されている。
【００２４】
図３（ａ）は本実施の形態に係るテレビジョンチューナを基板表面側から見た模式的な斜視図であり、図３（ｂ）は基板裏面側から見た模式的な斜視図である。図３（ａ）に示すように、多層基板５の基板表面は、シールド板６ａ，６ｂにて基板表面が中央から左右に分けられ、シールド板６ｃ、６ｄにて基板表面が中央から上下に分けられている。また、基板表面の外周がシールド板６ｅ〜６ｈで囲まれている。これにより、地上アナログ・デジタル放送受信用チューナＩＣ１及びＲＦ回路部品１１が配置された第１の区域Ｍ１の基板表面Ｍ１ａはシールド板６ａ，６ｃ，６ｅ，６ｈで周囲が囲まれたシールド構造となる。この基板表面において第１の区域Ｍ１の基板表面Ｍ１ａと対角位置に形成され、デジタル放送信号復調用ＩＣ３が配置された第３の区域Ｍ３の基板表面Ｍ３ａはシールド板６ｂ，６ｄ，６ｆ，６ｇで周囲が囲まれたシールド構造となる。
【００２５】
また、図３（ｂ）に示すように、多層基板５の基板裏面は、シールド板６ａａ，６ｂｂにて基板裏面が中央から左右に分けられ、シールド板６ｃｃ、６ｄｄにて基板裏面が中央から上下に分けられている。基板裏面の外周がシールド板６ｅｅ〜６ｈｈで囲まれている。これにより、地上アナログ・デジタル放送受信用チューナＩＣ１のＲＦ回路部品１１の一部である空芯コイル１１ｃが配置された第１の区域Ｍ１の基板裏面Ｍ１ｂはシールド板６ａａ，６ｃｃ，６ｅｅ，６ｈｈで周囲が囲まれたシールド構造となる。また、第２の区域Ｍ２の基板裏面Ｍ２ｂに配置された衛星デジタル放送受信用チューナＩＣ及び不図示のＲＦ回路部品は、シールド板６ｂｂ，６ｃｃ，６ｈｈ，６ｇｇで周囲が囲まれたシールド構造となり、第４の区域Ｍ４の基板裏面Ｍ４ｂに配置されたアナログ放送信号復調用ＩＣ４は、シールド板６ｂｂ，６ｄｄ，６ｆｆ，６ｇｇで周囲が囲まれたシールド構造となる。本例では、全ての区域をシールド板で囲んだシールド構造としているが、第１の区域Ｍ１の基板裏面Ｍ１ｂに搭載される空芯コイル１１ｃは特にノイズの影響を受け易いので、少なくともこの領域だけをシールド板６ａａ，６ｃｃ，６ｅｅ，６ｈｈで囲むようにしても良い。
【００２６】
以上のように、多層基板５の基板表面側には対角位置にある第１の区域Ｍ１の基板表面Ｍ１ａに地上アナログ・デジタル放送受信用チューナＩＣ１が配置され、第３の区域Ｍ３の基板表面Ｍ３ａにはデジタル放送信号復調用ＩＣ３が配置され、第１の区域Ｍ１又は第３の区域Ｍ３と隣接する第２の区域Ｍ２の基板表面Ｍ２ａ及び第４の区域Ｍ４の基板表面Ｍ４ａには集積回路は配置されないようにした。多層基板５の基板表面側において、第３の区域Ｍ３の基板表面Ｍ３ａに配置したデジタル放送信号復調用ＩＣ３が放射するノイズ信号の影響を受ける可能性のある集積回路及び回路部品は地上アナログ・デジタル放送受信用チューナＩＣ１及びＲＦ回路部品１１であるが、上記した通りシールド板６ａ，６ｃ，６ｅ，６ｈでシールドされている。
【００２７】
ここで、上記テレビジョンチューナにおける受信信号の流れについて説明する。地上アナログ・デジタル放送波が不図示のアンテナで受波されてテレビジョン信号が地上放送受信用入力端子１３に入力される。例えば、地上アナログ放送のテレビジョン信号がＲＦ回路において取り出されて地上アナログ・デジタル放送受信用チューナＩＣ１で周波数変換及び番組選択されてアナログ復調用ＩＣ４へ出力され、復調された映像信号及び音声信号が外部へ送出される。また、地上デジタル放送のテレビジョン信号はＲＦ回路において取り出されて地上アナログ・デジタル放送受信用チューナＩＣ１で周波数変換及び番組選択されてデジタル復調用ＩＣ３へ出力され、復調された映像信号及び音声信号が外部へ送出される。一方、衛星デジタル放送波が不図示のアンテナで受波されて衛星テレビジョン信号が衛星放送受信用入力端子１４に入力される。衛星デジタル放送のテレビジョン信号がＲＦ回路において取り出されて衛星デジタル放送受信用チューナＩＣで周波数変換及び番組選択されてデジタル復調用ＩＣ４へ出力され、復調された映像信号及び音声信号が外部へ送出される。
【００２８】
以上のように構成された本実施の形態によれば、地上アナログ・デジタル放送受信用チューナＩＣ１及びＲＦ回路部品１１の周囲をシールド板６ａ，６ｃ，６ｅ，６ｈで高周波的にシールドするので、デジタル放送信号復調用ＩＣ３が放射するノイズ信号の影響を軽減できる。また、デジタル放送信号復調用ＩＣ３の周囲をさらに別のシールド板６ｂ，６ｄ，６ｆ，６ｇで囲んでいるので、デジタル放送信号復調用ＩＣ３が放射するノイズ信号の影響をさらに軽減できる。しかも、本例では、ＲＦ回路部品１１のうちデジタル放送信号復調用ＩＣ３の放射するノイズの影響を受け易い部品（本例では空芯コイル１１ｃ）は多層基板５の裏面側に配置している。多層基板５は内層に接地用導体層５ｃが形成されているので、接地用導体層５ｃがシールド層として機能してデジタル放送信号復調用ＩＣ３が放射するノイズ信号の空芯コイル１１ｃへの影響は殆ど問題ない程度まで低減することができる。さらに、第１の区域Ｍ１は、その他の区域Ｍ２〜Ｍ４の接地用導体（接地用導体層５ｃ）とは高周波的に分離された専用の接地用端子１２を設けている。これにより、デジタル放送信号復調用ＩＣ３を初めとして他の集積回路（２，４）からの影響も排除することができる。
【００２９】
また本実施の形態によれば、多層基板５を４つの区域Ｍ１〜Ｍ４に分割し、同一区域には基板表面又は基板裏面の一方にのみ集積回路を配置するようにしたので、４つの集積回路を互いの放熱の影響を受けることなく配置できる。
【産業上の利用可能性】
【００３０】
本発明は、地上アナログ・デジタル放送及び衛星デジタル放送に対応して４つの集積回路を搭載するテレビジョンチューナ装置に適用可能である。
【図面の簡単な説明】
【００３１】
【図１】本発明の一実施の形態に係るテレビジョンチューナの模式的な平面図
【図２】上記一実施の形態における多層基板の断面構造を示す模式図
【図３】（ａ）上記一実施の形態に係るテレビジョンチューナを基板表面側から見た模式的な斜視図、（ｂ）同テレビジョンチューナを基板裏面側から見た模式的な斜視図
【符号の説明】
【００３２】
１…地上アナログ・デジタル放送受信用チューナＩＣ、２…衛星デジタル放送受信用チューナＩＣ、３…デジタル放送信号復調用ＩＣ、４…アナログ放送信号復調用ＩＣ、５…多層基板、５ａ，５ｂ…絶縁層、５ｃ…接地用導体層、６…シールド板（全体）、６ａ〜６ｈ…シールド板（基板表面側）、６ａａ〜６ｈｈ…シールド板（基板裏面側）、７…スルーホール、１１…ＲＦ回路部品、１１ｃ…空芯コイル、１２…接地用端子、１３…地上放送受信用入力端子、１４…衛星放送受信用入力端子、２１、２２…パターン、Ｍ１…第１の区域、Ｍ２…第２の区域、Ｍ３…第３の区域、Ｍ４…第４の区域、Ｍ１ａ〜Ｍ４ａ…基板表面、Ｍ１ｂ〜Ｍ４ｂ…基板裏面
【図１】
2008278099.tif 000003
【図２】
2008278099.tif 000004
【図３】
2008278099.tif 000005